(57)【要約】【課題】  使用時は大画面で見ることができ、運搬時はコンパクトになる表示記録部および表示記録媒体を提供する。【解決手段】  第１および第２の表示記録部１０，２０は、画像書込装置によって内部の一対の電極間に電圧が印加されると共に書込パターン光が照射されることにより画像が書き込まれ、それを画像として表面１ａから見ることができる。表示記録媒体１は、第１および第２の表示記録部１０，２０を備えて構成され、第１および第２の表示記録部１０，２０は、嵌合部２によって着脱自在に且つ見開きが可能に連結される。嵌合部２は、断面円柱状の柱状体２０１と、この柱状体２０１に嵌合する凹部を有する把持部２０２とを備えて構成されている。【選択図】        図１
2005266355.tif 000002
【特許請求の範囲】
【請求項１】
画像の書替えが可能で、無電源で前記画像の保持が可能な表示記録部において、
他の前記表示記録部と着脱自在に連結する結合分離手段を備えたことを特徴とする表示記録部。
【請求項２】
画像の書替えが可能で、無電源で前記画像の保持が可能な複数の表示記録部と、
前記複数の表示記録部の相互を着脱自在に連結する結合分離手段とを備えたことを特徴とする表示記録媒体。
【請求項３】
前記表示記録部は、一対の電極と、前記一対の電極間に積層して配置された光導電層および液晶層とを備えた請求項２記載の表示記録媒体。
【請求項４】
前記結合分離手段は、互いに係合するオス形ファスナおよびメス形ファスナを用いた請求項２記載の表示記録媒体。
【請求項５】
前記結合分離手段は、互いに嵌合する凹部および凸部を用いた請求項２記載の表示記録媒体。
【請求項６】
前記結合分離手段は、連結する２つの前記表示記録部の一方の側に形成された開口と、前記開口に挿通され、前記開口より大なる外形を有する係止部とを備えた請求項２記載の表示記録媒体。
【請求項７】
前記結合分離手段は、連結する２つの前記表示記録部に対して着脱可能に設けられた結合部材を用いた請求項２記載の表示記録媒体。
【請求項８】
前記複数の表示記録部は、それぞれ所定の厚さを有し、互いに重ねたとき、前記所定の厚さとなる重なり部を備え、
前記結合分離手段は、前記重なり部間に設けられた請求項２記載の表示記録媒体。
【請求項９】
前記結合分離手段は、前記複数の表示記録部を折畳み可能に連結する連結部であることを特徴とする請求項２記載の表示記録媒体。
【請求項１０】
前記連結部は、連結する一対の前記表示記録部の一方に設けられた断面円形の柱状部と、連結する一対の前記表示記録部の他方に設けられ、前記柱状部を内嵌する断面Ｕ字形の把持部とを備えた請求項９記載の表示記録媒体。
【請求項１１】
前記連結部は、連結する一対の前記表示記録部の一方に設けられた断面渦巻き形の第１の嵌合片と、連結する一対の前記表示記録部の他方に設けられ、前記第１の嵌合片に巻きついた状態に組み付けられる第２の嵌合片とを備えた請求項９記載の表示記録媒体。
【請求項１２】
前記連結部は、互いに嵌合するとともに、前記折畳みの中心となる凹部および凸部とを備えた請求項９記載の表示記録媒体。
【請求項１３】
前記結合分離手段は、連結する２つの前記表示記録部の所定の方向の対向辺同士を着脱自在に連結する中間ジョイントを備え、前記所定の方向に沿って前記複数の表示記録部を無限に拡張可能とした請求項２記載の表示記録媒体。
【請求項１４】
前記結合分離手段は、連結する２つの前記表示記録部の所定の方向の対向辺同士を着脱可能に連結する第１の中間ジョイントと、連結する２つの前記表示記録部の前記所定の方向に直交する方向の対向辺同士を着脱自在に結合する第２の中間ジョイントとを備え、前記所定の方向および前記所定の方向に直交する方向に前記複数の表示記録部を無限に拡張可能とした請求項２に記載の表示記録媒体。
【発明の詳細な説明】
【技術分野】
【０００１】
本発明は、画像の書替えが可能で、無電源で前記画像の保持が可能な表示記録部、および複数の表示記録部を有する表示記録媒体に関し、特に、使用時は大画面で見ることができ、運搬時はコンパクトになる表示記録部および表示記録媒体に関する。
【背景技術】
【０００２】
近年、表示記録媒体として、紙媒体や電子ディスプレイデバイスの他に、電子ディスプレイの長所と紙の長所を併せ持った電子ペーパあるいはデジタルペーパと称せられる表示記録媒体が注目されている。
【０００３】
この表示記録媒体は、表示に関してメモリ性を有することから、情報の書き換え時のみ駆動装置あるいは外部の情報書込装置により、書込みのエネルギーを与えるだけで良く、表示を維持するエネルギー印加は不要である。従って、情報の書込み後に画像書込装置から表示記録媒体のみを切り離し、紙媒体のように手軽に持ち運んだり、重ねたり、並べたり、手に持って情報を読むことができる。
【０００４】
上記のようなメモリ性を有する表示記録媒体として、電圧の印加と光の照射によって画像が可視的かつ消去自在にメモリされる光書込型表示記録媒体、およびこの表示記録媒体に画像を書き込む画像書込装置が知られている（例えば、特許文献１参照）。
【０００５】
この特許文献１に記載された表示記録媒体は、一対の透明電極間に、液晶からなる液晶層と、光の照射によって抵抗値が変化する光導電層とが積層されたものである。また、その表示記録媒体に画像を書き込む装置は、液晶パネルから２次元的な光パターンを２次元マイクロレンズアレイを介して表示記録媒体の光導電層に結像するように照射し、光導電層に光パターンに基づく抵抗分布を生じさせ、透明電極間に電圧を印加して、光導電層の抵抗分布に基づく分圧分布を液晶層に印加し、分圧分布に応じた画像を液晶層に記録するものである。
【特許文献１】特開２００１−３０１２３３号公報
【発明の開示】
【発明が解決しようとする課題】
【０００６】
しかし、従来の表示記録媒体によると、表示記録媒体は電子ペーパと呼ばれ、紙と同様に小画面で使用することが考えられていた。このため、全体のサイズを掲示用に大きくし、大画面に対して一括書き込みをしようとすると、大型な画像書込装置が必要となり、コスト高を招く。また、大画面のサイズは、運搬に不便であり、規格以上の大きさになると、郵便で送付できなくなる。
【０００７】
従って、本発明の目的は、使用時は大画面で見ることができ、運搬時はコンパクトになる表示記録部および表示記録媒体を提供することにある。
【課題を解決するための手段】
【０００８】
本発明は、上記目的を達成するため、画像の書替えが可能で、無電源で前記画像の保持が可能な表示記録部において、他の前記表示記録部と着脱自在に連結する結合分離手段を備えたことを特徴とする表示記録部を提供する。
【０００９】
本発明は、上記目的を達成するため、画像の書替えが可能で、無電源で前記画像の保持が可能な複数の表示記録部と、前記複数の表示記録部の相互を着脱自在に連結する結合分離手段とを備えたことを特徴とする表示記録媒体を提供する。
【発明の効果】
【００１０】
本発明の表示記録部および表示記録媒体によれば、複数の表示記録部は、結合分離手段により着脱自在に結合、分離ができるので、使用時は大画面で見ることができ、運搬時はコンパクトになる。
【発明を実施するための最良の形態】
【００１１】
［第１の実施の形態］
図１は、本発明の第１の実施の形態に係る表示記録媒体を示す。同図中、（ａ）は全体構成を示し、（ｂ）〜（ｄ）は、（ａ）のＡ−Ａ線の断面であって、結合分離手段の詳細を示す。
【００１２】
（表示記録媒体の全体構成）
この表示記録媒体１は、第１の表示記録部１０と、これと同一構造の第２の表示記録部２０と、第１および第２の表示記録部１０，２０を着脱自在に連結する結合分離手段としての嵌合部２とを備えて構成されている。
【００１３】
第１および第２の表示記録部１０，２０は、裏面１ｂに書込領域１１ａ，２１ａを有し、書込領域１１ａ，２１ａに画像の書込みが行われ、画像書込み後には、書き込まれた画像を表面１ａに設けられた表示領域１１ｂ，２１ｂ側から肉眼で見ることができる。更に、第１の表示記録部１０は一対の受電部１２Ａ，１２Ｂを表面１ａに有し、第２の表示記録部２０も一対の受電部２２Ａ，２２Ｂを表面１ａに有している。これらの受電部１２Ａ，１２Ｂまたは２２Ａ，２２Ｂには、画像書込装置に装着して画像書込みが行われる際、画像書込装置から所定の電圧が印加される。
【００１４】
（結合分離構造）
嵌合部２は、図１の（ｂ）のように、断面円柱状の柱状体２０１と、この柱状体２０１に嵌合する凹部を有する把持部２０２とからなり、この組合せの一対が結合部の両側に設けられている。
【００１５】
また、嵌合部２は、図１の（ｃ）のように、図１の（ｂ）の把持部２０２を包む外包部２０３を有する柱状部２０１と、把持部２０２とを組み合わせた構成としてもよい。
【００１６】
更に、嵌合部２は、図１の（ｄ）のように、断面「の」字状あるいは断面渦巻き状を有する嵌合片２０４と、嵌合片２０５とを組み合わせた構成としてもよい。この嵌合部２では、第１および第２の表示記録部１０，２０がほぼ重なる状態にまで回転させることができる。
【００１７】
（表示記録部の結合、分離）
図１の（ｂ），（ｃ）の嵌合部２は、第１および第２の表示記録部１０，２０を平行に配置し、この状態のまま、第１の表示記録部１０の柱状部２０１に第２の表示記録部２０の把持部２０２を押し付ければ、柱状部２０１と把持部２０２が嵌合（更に、（ｃ）では外包部２０３が把持部２０２に嵌合する。）し、両者は結合される。２つの表示記録部１０，２０を分離するには、両者を水平にしたまま、一方を引き離すように引っ張ればよい。
【００１８】
図１の（ｄ）の嵌合部２は、嵌合片２０４と嵌合片２０５の一方の隙間に他方の先端を潜り込ませながら第１の表示記録部１０と第２の表示記録部２０を水平方向へ回動させることにより、嵌合片２０４と嵌合片２０５が嵌合する。
【００１９】
（表示記録部の層構成）
図２は、図１の（ａ）におけるＢ−Ｂ線の断面を示す。この表示記録部１０は、薄型矩形状を有し、対向配置されたＰＥＴ（ポリエチレンテレフタレート）フィルムからなる一対の基板１３Ａ，１３Ｂと、一対の基板１３Ａ，１３Ｂの内側に設けられたＩＴＯ（インジウム錫酸化物）からなる一対の透明電極１４Ａ，１４Ｂと、表面１ａ側の透明電極１４Ａの内側に設けられ、印加電圧に応じて反射率（透過率）が変化するコレステリック液晶からなる液晶層１５と、液晶層１５と透明電極１４Ｂとの間に設けられ、書込パターン光３０の照射によって抵抗値が小さくなるように、２つの電荷発生層１７ａ，１７ｃ間に電荷輸送層１７ｂを配置して形成された光導電層１７と、液晶層１５と光導電層１７との間に設けられた光吸収層１８と、透明電極１４Ｂから延在して設けられた延在部１９とを備えて構成されている。
【００２０】
延在部１９の上端には受電部１２Ａが確保され、透明電極１４Ａの端部（図２の右側端）には受電部１２Ｂが確保されている。受電部１２Ａ，１２Ｂは、基板１３Ａに設けられた開口２９Ａ，２９Ｂを通して露出している。
【００２１】
図２の表示記録媒体１は、表示記録媒体１に対する書込パターン光３０の照射方向と、書込み後の画像を見る方向が向き合う位置関係になる。従って、ユーザは、下から書込パターン光３０を照射する画像書込装置を用いた場合は、この画像書込装置から排出された表示記録媒体１を裏返しにすることなく、表示記録媒体１の上面をＥ方向から見れば、 直ちに画像内容を確認することができる。
【００２２】
（画像書込装置の構成）
図３は、表示記録媒体１に画像書込みを行うための画像書込装置の構成を示す。この画像書込装置１００は、本体部を成すとともに上面に光出射面１１１を有する下部筐体１１０と、この下部筐体１１０上に設置される上部筐体１３０とを備えて構成されている。
【００２３】
下部筐体１１０は、ＬＣＤ（液晶ディスプレィ）パネル１１３およびバックライト１１４を備える書込部１１２とを備えて構成されている。また、上部筐体１３０は、電磁ソレノイド１３２Ａ，１３２Ｂおよび押圧板１３３を備える媒体押付け部１３１と、開口１３４とを備えて構成されている。
【００２４】
書込部１１２は、バックライト１１４により背面から照明されているＬＣＤパネル１１３に対し、画像データに基づいた画像を表示させ、この表示画像を画像書込位置に搬入された表示記録媒体１に書込みを行う。
【００２５】
下部筐体１１０と上部筐体１３０の間には、表示記録部１０，２０を挿入するための挿入口１５１と、挿入された表示記録部１０，２０を介在させる空間１５２が形成されている。
【００２６】
媒体押付け部１３１は、画像書込位置に搬入された表示記録部１０，２０を下部筐体１１０の上面に押圧するために用いられる。図３の様に、媒体押付け部１３１は、上部筐体１３０の中央に形成された開口１３４から出没可能に設けられており、押圧板１３３によって表示記録部１０，２０を下方に押圧する。電磁ソレノイド１３２Ａ，１３２Ｂは押圧板１３３を下方へ押し下げ、表示記録部１０，２０をＬＣＤパネル１１３の光出射面１１１に密着させる。
【００２７】
（書込み動作）
次に、図１の表示記録媒体１を図３の画像書込装置１００に装填したときの書込み動作を説明する。画像書込みは、図１における第１の表示記録部１０と第２の表示記録部２０を分離し、個別に行われる。以下においては、第１の表示記録部１０について説明する。
【００２８】
ユーザによって、第１の表示記録部１０が挿入口１５１に正しい向き（表面１ａが上で且つ短辺が搬送方向に平行）で挿入されると、図示せぬ搬送ローラが回転し、表示記録部１０は書込位置へ搬送される。表示記録部１０がセット位置から奥へ搬送され、先端が所定位置に到達すると、表示記録部１０の搬送が停止する。
【００２９】
ついで、媒体押付け部１３１の電磁ソレノイド１３２Ａ，１３２Ｂが駆動され、押圧板１３３を押し下げ、表示記録部１０の裏面１ｂをＬＣＤパネル１１３の光出射面１１１に密着させる。押圧板１３３によって表示記録部１０が押圧されると、図示せぬ一対の給電端子が表示記録部１０の受電部１２Ａ，１２Ｂに圧接状態で接触する。
【００３０】
一対の給電端子と受電部１２Ａ，１２Ｂとが接触することにより、表示記録部１０の透明電極１４Ａ，１４Ｂに図示しないパルス電源部から電圧が印加される。この状態下で書込部１１２が動作すると、表示記録部１０への画像書込みが行われる。
【００３１】
書込部１１２は、バックライト１１４を点灯させ、画像データに基づく駆動信号をＬＣＤパネル１１３に出力する。ＬＣＤパネル１１３は、制御部からの駆動信号に基づいて書込パターン光３０を表示記録部１０の裏面１ｂから照射する。
【００３２】
書込パターン光３０は、表示記録部１０の裏面１ｂ側の基板１３Ｂおよび透明電極１４を通して光導電層１７に照射される。光導電層１７は、書込パターン光３０が照射されると抵抗値が小さくなり、それにより、光導電層１７とのインピーダンス比で決まる液晶層１５の分圧が増加し、液晶層１５における光反射率が大きくなる。従って、表示記録部１０を表面１ａから見た場合、書込パターン光３０が照射された領域は、外光が液晶層１５で反射して白く見え、書込パターン光３０が照射されていない領域は液晶層１５を通過して光吸収層１８で吸収されるため、黒く見える。これにより、可視像として見ることが可能な画像が記録される。
【００３３】
表示記録部１０への画像の書込みが終了すると、媒体押付け部１３１が駆動され、押圧板１３３を初期位置に退避させる。ついで、搬送ローラが回転駆動されることにより、第１の表示記録部１０が排出口１５３から排出される。第２の表示記録部２０も挿入口１５１に挿入することにより、上述したように画像が書き込まれる。
【００３４】
（第１の実施の形態の効果）
この第１の実施の形態によれば、２つの表示記録部１０，２０を嵌合部２で着脱自在に連結できるため、使用時は２つの表示記録部１０，２０により大画面で画像を見ることができ、また、連結された２つの表示記録部１０，２０を簡単に１枚単位に分離できるため、運搬，搬送，収納，保管時等は容易にコンパクトになる。
【００３５】
［第２の実施の形態］
図４は、本発明の第２の実施の形態に係る表示記録媒体を示す。図４において、（ａ）は２つの表示記録部を分離した状態を示し、（ｂ）は２つの表示記録部を連結した状態を示す。
【００３６】
（表示記録媒体の構成）
この第２の実施の形態に係る表示記録媒体１は、第１の表示記録部１０と、第２の表示記録部２０と、第１および第２の表示記録部１０，２０を連結する結合分離手段として嵌合部３とを備え、第１の実施の形態とは、結合分離手段が異なり、他は第１の実施の形態と同様に構成されている。
【００３７】
（結合分離構造）
第１の表示記録部１０の連結面には凹部５１Ａ，５１Ｂが形成されており、この凹部５１Ａ，５１Ｂに嵌合する凸部５２Ａ，５２Ｂが第２の表示記録部２０に設けられている。凹部５１Ａ，５１Ｂの対向辺には小さな突起５３Ａ，５３Ｂ，５３Ｃ，５３Ｄが形成されており、この突起５３Ａ〜５３Ｄに嵌合する凹部５４Ａ，５４Ｂ，５４Ｃ，５４Ｄが凸部５２Ａ，５２Ｂの両側面に設けられている。
【００３８】
（表示記録部の結合、分離）
図４の（ａ）のように、凹部５１Ａ，５１Ｂと凸部５２Ａ，５２Ｂが対向するように第１の表示記録部１０と第２の表示記録部２０を配置し、第２の表示記録部２０を矢印Ｃ方向から第１の表示記録部１０に差し込むようにすると、凹部５４Ａ〜５４Ｄに突起５３Ａ〜５３Ｄが嵌合し、これにより、図４の（ｂ）に示すように、凹部５１Ａ，５１Ｂと凸部５２Ａ，５２Ｂが嵌合する。
【００３９】
（第２の実施の形態の効果）
この第２の実施の形態によれば、２つの表示記録部１０，２０を嵌合部３で着脱自在に連結できるため、第１の実施の形態と同様に、使用時は大画面で画像を見ることができ、運搬，搬送，収納，保管時等は容易にコンパクトになる。更に、嵌合部３の部分は、第１および第２の表示記録部１０，２０の本体部と同一の厚みにできるため、収納、保管時に無駄な空間を生じさせることがない。
【００４０】
なお、図４において、第１および第２の表示記録部１０，２０の嵌合部の凸部となる部分の先端をＵ字形に丸みを持たせれば、２つの表示記録部１０，２０を直角に近い角度まで閉じることが可能になる。
【００４１】
［第３の実施の形態］
図５は、本発明の第３の実施の形態に係る表示記録媒体を示す。
【００４２】
（表示記録媒体の構成）
この表示記録媒体１は、第１の表示記録部１０と、第２の表示記録部２０と、第１および第２の表示記録部１０，２０を連結する結合分離手段としての嵌合部４とを備え、第１の実施の形態とは、結合分離手段が異なり、他は第１の実施の形態と同様に構成されている。
【００４３】
（結合分離構造）
嵌合部４は、Ｓ字形に蛇行する形状を有し、第１の表示記録部１０に設けられたＳ字形の蛇行面と第２の表示記録部２０に設けられたＳ字形の蛇行面とが上下方向から嵌合するように構成されている。
【００４４】
（表示記録部の結合、分離）
組み付けは、第１および第２の表示記録部１０，２０を共に水平状態にしたまま、嵌合部４を上下方向から組み付ける。嵌合部４を組み付け後は、２つの表示記録部１０，２０を水平方向に引っ張っても抜けることがない。
【００４５】
２つの表示記録部１０，２０を分離したいときには、第１の表示記録部１０の蛇行面から第２の表示記録部２０の蛇行面を上下方向にずらせば嵌合部４は２分され、２つの表示記録部１０，２０を個別化することができる。
【００４６】
（第３の実施の形態の効果）
この第３の実施の形態によれば、２つの表示記録部１０，２０を嵌合部４で着脱自在に連結できるため、第１の実施の形態と同様に、使用時は大画面で画像を見ることができ、運搬，搬送，収納，保管時等は容易にコンパクトになる。更に、嵌合部４の部分は、第１および第２の表示記録部１０，２０の本体部と同一の厚みにできるため、収納、保管時に無駄な空間を生じさせることがない。
【００４７】
［第４の実施の形態］
図６は、本発明の第４の実施の形態に係る表示記録媒体を示す。図６において、（ａ）は連結前の全体構成を示す斜視図、（ａ）は結合部の詳細を示す断面図である。
【００４８】
（表示記録媒体の構成）
この表示記録媒体１は、結合分離手段としての蛇行突起７１を有する第１の表示記録部１０と、結合分離手段としての蛇行溝７２を有する第２の表示記録部２０とを備え、第１の実施の形態とは、結合分離手段が異なり、他は第１の実施の形態と同様に構成されている。
【００４９】
（結合分離構造）
蛇行突起７１は、蛇行溝７２に上下方向から嵌合する。蛇行突起７１は、第１の表示記録部１０の基板１３Ｂを延長した部分（連結片）の上面に突堤状に形成され、同様に蛇行溝７２は、第２の表示記録部２０の基板１３Ａを延長した部分（連結片）の下面に形成されている。
【００５０】
（表示記録部の結合、分離）
蛇行突起７１と蛇行溝７２の組み付けは、２つの表示記録部１０，２０を共に水平状態にしたまま第２の表示記録部２０を図６の矢印Ｄ方向から組み付ければ、蛇行突起７１は蛇行溝７２に嵌入し、基板１３Ａの延長部分（連結片）と基板１３Ｂの延長部分（連結片）とが密着し、図６の（ｂ）のように、２つの表示記録部１０，２０が連結される。蛇行突起７１と蛇行溝７２が嵌合した後は、２つの表示記録部１０，２０を水平方向に引っ張っても抜けることがない。
【００５１】
２つの表示記録部１０，２０を分離したいときには、第１の表示記録部１０の蛇行突起７１を第２の表示記録部２０の蛇行溝７２から図６の矢印Ｄ方向とは逆の方向に抜き取るようにして第２の表示記録部２０を持ち上げれば、２つの表示記録部１０，２０が分離され、両者を個別化することができる。
【００５２】
（第４の実施の形態の効果）
この第４の実施の形態によれば、２つの表示記録部１０，２０が蛇行突起７１と蛇行溝７２で着脱自在に結合されるため、第１の実施の形態と同様に、使用時は大画面で画像を見ることができ、運搬，搬送，収納，保管時等は容易にコンパクトになる。更に、結合後の結合部の部分は、第１および第２の表示記録部１０，２０の本体部と同一の厚みにできるため、収納、保管時に無駄な空間を生じさせることがない。
【００５３】
なお、図６においては、蛇行突起７１と蛇行溝７２をＳ字形の蛇行にしたが、この形状に限定されるものではなく、「く」字形の連続、「コ」の字形の連続、Ｚ字形の連続等の形状であってもよい。
【００５４】
［第５の実施の形態］
図７は、本発明の第５の実施の形態に係る表示記録媒体を示す。図７において、（ａ）は２つの表示記録部を連結した状態を示し、（ｂ）は（ａ）のＦ−Ｆ線の断面を示す。
【００５５】
（表示記録媒体の構成）
この第５の実施の形態に係る表示記録媒体１は、第１の表示記録部１０と、第２の表示記録部２０と、第１および第２の表示記録部１０，２０を着脱可能に連結する結合分離手段としての結合部材５Ａ，５Ｂとを備え、第１の実施の形態とは、結合分離手段が異なり、他は第１の実施の形態と同様に構成されている。
【００５６】
（結合分離構造）
第１および第２の表示記録部１０，２０の重なり部６は、両表示記録部１０，２０のそれぞれの一部が重なることで形成され、この重なり部６が結合部材５Ａ，５Ｂによって固定される。
【００５７】
結合部材５Ａ，５Ｂは、図７の（ｂ）に示すように、第１の表示記録部１０の表面１ａに立設された支柱部５０１と、その先端に形成された係止部としての球体５０２とからなる。一方、第２の表示記録部２０の重なり部６には、球体５０２が通過できる程度の開口５０３Ａ，５０３Ｂが設けられている。
【００５８】
（表示記録部の結合、分離）
２つの表示記録部１０，２０を連結する場合、図７の（ａ）のように、２つの表示記録部１０，２０の間に重なり部６を形成し、第２の表示記録部２０の開口５０３Ａ，５０３Ｂに第１の表示記録部１０の結合部材５Ａ，５Ｂの球体５０２を挿入する。開口５０３Ａ，５０３Ｂの内径は、球体５０２の通過時には一時的に拡張するが、球体５０２の通過後には収縮し、図７の（ｂ）のように、支柱部５０１の直径よりやや大きい程度になるので、通常状態において開口５０３Ａ，５０３Ｂから結合部材５Ａ，５Ｂが抜け出ることはない。
【００５９】
（第５の実施の形態の効果）
この第５の実施の形態によれば、２つの表示記録部１０，２０が結合部材５Ａ，５Ｂで着脱自在に結合されるため、第１の実施の形態と同様に、使用時は大画面で画像を見ることができ、運搬，搬送，収納，保管時等は容易にコンパクトになる。また、２つの表示記録部１０，２０は、重なり部６を有して連結されるため、表示領域１１ｂ，２１ｂの間隔を小さくすることができるので、関連ある情報を２つの表示領域１１ｂ，２１ｂに表示させた場合、見やすくなる。
【００６０】
なお、図７においては、結合部材５Ａ，５Ｂを第１の表示記録部１０側に設けたが、第２の表示記録部２０側に設けてもよい。
【００６１】
［第６の実施の形態］
図８は、本発明の第６の実施の形態に係る表示記録媒体を示す。この第６の実施の形態は、図７に示す第５の実施の形態において、結合部材５Ａ，５Ｂを表示記録部１０に一体化せず、別部品にしたものである。すなわち、この第６の実施の形態は、球体５０２を有する支柱部５０１を帯状の支持部材５０４に設け、この支持部材５０４は接着剤５０５により第２の表示記録部２０の連結する辺の下面（裏面１ｂ）に接着している。そして、第１の表示記録部１０においては、球体５０２を通過できる開口５０６を設けている。
【００６２】
（第６の実施の形態の効果）
この第６の実施の形態によれば、２つの表示記録部１０，２０が結合部材５Ａ，５Ｂで着脱自在に結合されるため、第１の実施の形態と同様に、使用時は大画面で画像を見ることができ、運搬，搬送，収納，保管時等は容易にコンパクトになる。更に、支持部材５０４を用いているため、第１の表示記録部１０と第２の表示記録部２０とを同一面にすることができる。
【００６３】
［第７の実施の形態］
図９は、本発明の第７の実施の形態に係る表示記録媒体を示す。図９において、（ａ）は２つの表示記録部を展開した状態を示し、（ｂ）は表示記録部の一方を回転させた状態を示す。
【００６４】
この第７の実施の形態に係る表示記録媒体１は、図７に示す第５の実施の形態において、結合分離手段として結合部材７を１つにしたものであり、他は第５の実施の形態と同様に構成されている。この結合部材７は、連結する辺（図９の縦方向の辺）の中央部に設けられている。
【００６５】
（表示記録部の結合、分離）
第１および第２の表示記録部１０，２０の重なり部６は、各表示記録部１０，２０のそれぞれの一部が図７の（ｂ）と同様に重なることで形成され、この重なり部６が結合部材７によって固定される。
【００６６】
図９の表示記録媒体１は、結合部材７が１ヵ所のみであるため、例えば、第１の表示記録部１０を図９の（ｂ）のように、矢印方向に回転させることができる。第１の表示記録部１０を図９の（ａ）の状態から１８０°回転させると、第１の表示記録部１０を第２の表示記録部２０に重ねた状態にすることができる。
【００６７】
（第７の実施の形態の効果）
この第７の実施の形態によれば、２つの表示記録部１０，２０が結合部材７で着脱自在に結合されるため、第１の実施の形態と同様に、使用時は大画面で画像を見ることができ、運搬，搬送，収納，保管時等は容易にコンパクトになる。更に、結合部材７で連結したまま、一方の表示記録部を回転させると、２つの表示記録部を重ねた状態にすることができ、２つの表示記録部に分離することなく、搬送、収納、保管等が行える。
【００６８】
［第８の実施の形態］
図１０は、本発明の第８の実施の形態に係る表示記録媒体を示す。図１０において、（ａ）は２つの表示記録部を連結する前の状態を示し、（ｂ）は連結後の状態を示し、（ｃ）は（ｂ）のＧ−Ｇ線の断面を示す。
【００６９】
（表示記録媒体の構成）
この第８の実施の形態に係る表示記録媒体１は、第１の表示記録部１０と、第２の表示記録部２０と、メス型面ファスナー８Ａ，８Ｂ、オス型面ファスナー８Ｃによる結合分離手段としての結合部８とを備え、第１の実施の形態とは、結合分離手段が異なり、他は第１の実施の形態と同様に構成されている。
【００７０】
（結合分離構造）
メス型面ファスナー８Ａ，８Ｂは、第１の表示記録部１０と第２の表示記録部２０のそれぞれの連結片８８Ａ，８８Ｂに貼着され、このメス型面ファスナー８Ａ，８Ｂを覆うようにしてオス型面ファスナー８Ｃが装着されることにより、結合分離手段が形成される。
【００７１】
（表示記録部の結合、分離）
２つの表示記録部１０，２０を連結する場合、図１０の（ａ）のように、予め、メス型面ファスナー８Ａ，８Ｂを接着剤等を介して２つの表示記録部１０，２０のそれぞれの連結片８８Ａ，８８Ｂに接着する。
【００７２】
ついで、図１０の（ａ）の矢印Ｈ方向から、２つの表示記録部１０，２０の連結片を突き合わせる。この状態で、メス型面ファスナー８Ａ，８Ｂの上面にオス型面ファスナー８Ｃを被せると図１０の（ｃ）のようになり、２つの表示記録部１０，２０は、図１０の（ｂ）のように連結され、表示記録媒体１になる。
【００７３】
２つの表示記録部１０，２０を分離するには、メス型面ファスナー８Ａ，８Ｂからオス型面ファスナー８Ｃを剥がすのみでよい。
【００７４】
（第８の実施の形態の効果）
この第８の実施の形態によれば、２つの表示記録部１０，２０が面ファスナー８Ａ〜８Ｃで着脱自在に結合できるため、第１の実施の形態と同様に、使用時は大画面で画像を見ることができ、運搬，搬送，収納，保管時等は容易にコンパクトになる。更に、２つの表示記録部１０，２０を同一平面にすることができる。
【００７５】
［第９の実施の形態］
図１１は、本発明の第９の実施の形態に係る表示記録媒体を示す。図１１において、（ａ）は２つの表示記録部を連結する前の状態を示し、（ｂ）は連結後の状態を示し、（ｃ）は（ｂ）のＪ−Ｊ断面を示す。
【００７６】
この第９の実施の形態に係る表示記録媒体１は、連結片９Ａを備える第１の表示記録部１０と、連結片９Ｂを備える第２の表示記録部２０と、第１および第２の表示記録部１０，２０を連結片９Ａと連結片９Ｂにおいて連結する結合分離手段としての結合部材７Ａ，７Ｂとを備え、第１の実施の形態とは結合分離手段が異なり、他は第１の実施の形態と同様に構成されている。
【００７７】
（結合分離構造）
連結片９Ａ，９Ｂは、基板１３Ａ，１３Ｂを所定の長さに延伸し、更に基板１３Ａ，１３Ｂの内面に厚み調整のための樹脂材等を加えて構成されている。連結片９Ａ，９Ｂは、同一の幅および長さを有し、連結片９Ａと連結片９Ｂを重ねたときに隙間が生じないようにしている。
【００７８】
結合部材７Ａは、支柱部７０１と、その両端に形成された球体７０２，７０３とからなる。一方、第１および第２の表示記録媒体１０，２０の連結片９Ａ，９Ｂには、球体７０２，７０３が通過できる開口７０ａ〜７０ｄが形成されている。
【００７９】
（表示記録部の結合、分離）
２つの表示記録部１０，２０を連結する場合、第２の表示記録部２０の連結片９Ｂを第１の表示記録部１０の連結片９Ａ上に重ねた後、図１１の（ｂ），（ｃ）に示すように、連結片９Ａに設けた開口７０ａと連結片９Ｂに設けた開口７０ｃに結合部材７Ａを挿通させ、連結片９Ａに設けた開口７０ｂと連結片９Ｂに設けた開口７０ｄに結合部材７Ｂを挿通させ、２つの表示記録部１０，２０が一体化された表示記録媒体１が完成する。開口７０ａ〜７０ｄの内径は、球体７０２の通過時には一時的に拡張するが、球体７０２の通過後には収縮し、図１１（ｃ）のように、支柱部７０１の直径よりやや大きい程度になるので、通常状態において開口７ａ〜７ｄから結合部材７Ａ，７Ｂが抜け出ることはない。
【００８０】
（第９の実施の形態の効果）
この第９の実施の形態によれば、２つの表示記録部１０，２０が結合部材７Ａ，７Ｂによって着脱自在に結合できるため、第１の実施の形態と同様に、使用時は大画面で画像を見ることができ、運搬，搬送，収納，保管時等は容易にコンパクトになる。更に、２つの表示記録部１０，２０を同一平面にすることができる。また、２つの表示領域１１ｂ，２１ｂの間隔を小さくすることができるので、関連ある情報を２つの表示領域１１ｂ，２１ｂに表示させた場合、見やすくなる。
【００８１】
［第１０の実施の形態］
図１２および図１３は、本発明の第１０の実施の形態に係る表示記録媒体を示す。図１２は２つの表示記録部の連結前の状態を示し、（ａ）は連結前の平面図、（ｂ）は（ａ）の正面図である。また、図１３は図１２の２つの表示記録部を連結した後の状態を示し、（ａ）は連結後の平面図、（ｂ）は（ａ）の正面図である。
【００８２】
（表示記録媒体の構成）
この第１０の実施の形態に係る表示記録媒体１は、複数（ここでは２つ）の表示記録部１０Ａと、複数の表示記録部１０Ａを連結する結合分離手段としての中間ジョイント４０とを備え、裏面１ｂに書込表示領域１１が設けられており、第１の実施の形態とは結合分離手段および表示記録部１０Ａの層構成が異なり、他は第１の実施の形態と同様に構成されている。
【００８３】
（結合分離構造）
中間ジョイント４０は、一方の表示記録部１０Ａに結合される円柱状の本体部４１と、この本体部４１の一方の側に突出するように設けられて他の表示記録部１０Ａに結合される断面Ｃ字形の一対の係合部４２Ａ，４２Ｂと、係合部４２Ａ，４２Ｂに隣接させて設けられたスリット４３Ａ，４３Ｂとを備えて構成されている。
【００８４】
表示記録部１０Ａは、一方の辺に設けられ、中間ジョイント４０の本体部４１に外嵌される係合部８１Ａ，８１Ｂと、他方の辺に設けられ、他の中間ジョイント４０の係合部４２Ａ，４２Ｂに内嵌される円柱状の係合部８２と、他の中間ジョイント４０の係合部４２Ａ，４２Ｂの先端部が嵌入されるスリット８３Ａ，８３Ｂを備えている。
【００８５】
（表示記録部の結合、分離）
中間ジョイント４０は、一方（図１２の右側）の表示記録部１０Ａと他方（図１２の左側）の表示記録部１０Ａのどちらから取り付けてもよい。例えば、一方の表示記録部１０Ａを先にする場合、まず、中間ジョイント４０の本体部４１を一方（図１２の右側）の表示記録部１０Ａの係合部８１Ａ，８１Ｂに押し込み、本体部４１と係合部８１Ａ，８１Ｂを嵌合するとともに、係合部８１Ａ，８１Ｂの先端部がスリット４３Ａ，４３Ｂに嵌入する。ついで、係合部４２Ａ，４２Ｂに他方（図１２の左側）の表示記録部１０Ａの係合部８２を押し込めば、係合部８２は係合部４２Ａ，４２Ｂに嵌合するとともに、係合部４２Ａ，４２Ｂの先端部がスリット８３Ａ，８３Ｂに嵌入する。このような操作により、２つの表示記録部１０Ａが組み付けられ、図１３のように表示記録媒体１が完成する。
【００８６】
（第１０の実施の形態に係る表示記録部の層構成）
図１４は、図１２のＩ−Ｉ線の断面を示す。図１４においては、書き込まれた画像を見る面を上にしたので、図２とは逆に裏面１ｂが上になっている。この表示記録部１０Ａは、薄型矩形状を有し、対向配置されたＰＥＴ（ポリエチレンテレフタレート）フィルムからなる一対の基板１３Ａ，１３Ｂと、一対の基板１３Ａ，１３Ｂの内側に設けられたＩＴＯ（インジウム錫酸化物）からなる一対の透明電極１４Ａ，１４Ｂと、裏面１ｂ側の透明電極１４Ｂの内側に設けられ、印加電圧に応じて反射率（透過率）が変化するコレステリック液晶からなる液晶層１５と、液晶層１５の内側に設けられ、液晶層１５と光導電層１７とを隔離する透光性を有する隔離層１６と、隔離層１６の内側に設けられ、書込パターン光３０の照射によって抵抗値が小さくなるように、２つの電荷発生層１７ａ，１７ｃ間に電荷輸送層１７ｂを配置して形成された光導電層１７と、光導電層１７の下側に設けられた光吸収層１８と、透明電極１４Ｂから延在して設けられた延在部１９とを備えて構成されている。
【００８７】
この表示記録部１０Ａは、裏面１ｂ側から書込パターン光３０が照射され、更に、画像書込装置の給電端子から受電部１２Ａ，１２Ｂに所定の電圧が印加されることにより、図２で説明したようにして画像が書き込まれる。書き込まれた画像は、図２に示す書込パターン光３０の照射方向（眼Ｅの方向）から見ることができる。したがって、書込表示領域１１，２１が表示面になる。
【００８８】
延在部１９の下端には受電部１２Ａが確保され、透明電極１４Ａの端部（図１４の右側端）には受電部１２Ｂが確保されている。受電部１２Ａ，１２Ｂは、基板１３Ａに設けられた開口２９Ａ，２９Ｂを通して露出している。
【００８９】
（第１０の実施の形態の効果）
この第１０の実施の形態によれば、中間ジョイント４０を介して複数の表示記録部１０Ａを結合するため、必要に応じて複数の表示記録部１０Ａにより１枚の大型の表示記録媒体１を構成することができ、更に、簡単に分離できる。また、中間ジョイント４０の数を増設することで３枚以上の表示記録部１０Ａを一方向へ連結することが可能であり、表示量に応じて表示記録部１０Ａの枚数を一方向へ任意に増設できる。
【００９０】
［第１１の実施の形態］
図１５は、本発明の第１１の実施の形態に係る表示記録媒体を示す。この第１１の実施の形態に係る表示記録媒体１は、図１２および図１３に示す第１０の実施の形態において、中間ジョイント６０によって上下方向に連結できるようにしたものであり、他は第１０の実施の形態と同様に構成されている。なお、第１０の実施の形態と同じものには同一引用数字を用いてその説明は省略する。
【００９１】
（結合分離構造）
【００９２】
表示記録部１０Ｂには、図１２に示した表示記録部１０Ａの構成において、更に、係合部８１Ａ，８１Ｂと同じ形状の係合部８４Ａ，８４Ｂが係合部８１Ａ，８１Ｂと直交する辺に設けられ、その反対側の辺には、係合部８２およびスリット８３Ａ，８３Ｂと同じ形状の係合部８５およびスリット８６Ａ，８６Ｂが設けられている。
【００９３】
中間ジョイント６０は、中間ジョイント４０と同様に、本体部６１、係合部６２Ａ，６２Ｂ、およびスリット６３Ａ，６３Ｂを有する。
【００９４】
（表示記録媒体の結合、分離）
一方の表示記録部１０Ｂと他方の表示記録部１０Ｂが中間ジョイント４０を介して連結され、更に、これらの表示記録部１０Ｂには中間ジョイント６０を介して他の表示記録部（図示せず）が上下方向に連結される。したがって、表示記録媒体１は、左右、上下に計４枚の表示記録部を連結した大きさになる。
【００９５】
（第１１の実施の形態の効果）
この第１１の実施の形態によれば、複数の中間ジョイント４０，６０を介して複数の表示記録部１０Ｂを連結できるため、任意のサイズの表示記録媒体１にすることができる。更に、中間ジョイント４０，６０の数を増やすのみで、縦方向および横方向に表示記録部１０Ｂを無限に拡大することができ、また、中間ジョイント４０，６０を外すのみで、表示記録部１０Ｂを１枚単位に分離できるため、搬送、収納、保管等に困ることがない。
【００９６】
なお、本発明は、上記各実施の形態に限定されず、その要旨を変更しない範囲内で種々な変形が可能である。例えば、各実施の形態間の構成要素の組合せは任意に行うことができる。例えば、図１に示す表示記録部の層構成として図１４に示すものを用いてもよい。
【００９７】
また、上記各実施の形態では、ＬＣＤパネルを表示記録部に密着させてＬＣＤから書込パターン光を表示記録部に照射したが、プロジェクタ等の画像書込装置を用いて表示記録部から離れた位置から書込パターン光を照射してもよい。
【００９８】
また、メモリ性を有する表示記録媒体として、上記の他に、ロイコ染料を用いた感熱記録媒体や、強誘電液晶に代表されるメモリ性を有する液晶や、帯電した粒子を移動させて表示を切り替える電気泳動方式、帯電した粒子を回転させて表示を切り替える粒子回転方式、磁気により粒子を移動させて表示を切り替える磁気泳動方式を用いてもよい。
【図面の簡単な説明】
【００９９】
【図１】本発明の第１の実施の形態に係る表示記録媒体を示し、（ａ）は全体構成を示す平面図、（ｂ）〜（ｄ）は（ａ）のＡ−Ａ線の断面図である。
【図２】図１の表示記録媒体１のＢ−Ｂ線の断面図である。
【図３】本発明の実施の形態に係る表示記録媒体に画像書込みを行うための画像書込装置の構成を示す断面図である。
【図４】本発明の第２の実施の形態に係る表示記録媒体を示し、（ａ）は２つの表示記録部を分離した状態を示す平面図、（ｂ）は２つの表示記録部を連結した状態を示す平面図である。
【図５】本発明の第３の実施の形態に係る表示記録媒体を示す平面図である。
【図６】本発明の第４の実施の形態に係る表示記録媒体を示し、（ａ）は連結前の全体構成を示す斜視図、（ａ）は結合部の詳細を示す断面図である。
【図７】本発明の第５の実施の形態に係る表示記録媒体を示し、（ａ）は２つの表示記録部を連結した状態を示す平面図、（ｂ）は（ａ）のＦ−Ｆ線の断面図である。
【図８】本発明の第６の実施の形態に係る表示記録媒体を示す要部断面図である。
【図９】本発明の第７の実施の形態に係る表示記録媒体を示し、（ａ）は２つの表示記録部を展開した状態を示す平面図、（ｂ）は表示記録部の一方を回転させた状態を示す平面図である。
【図１０】本発明の第８の実施の形態に係る表示記録媒体を示し、（ａ）は２つの表示記録部を連結する前の状態を示す平面図、（ｂ）は連結後の状態を示す平面図、（ｃ）は（ｂ）のＧ−Ｇ線の断面を示す断面図である。
【図１１】本発明の第９の実施の形態に係る表示記録媒体を示し、（ａ）は２つの表示記録部を連結する前の状態を示す斜視図、（ｂ）は連結後の状態を示す斜視図、（ｃ）は（ｂ）のＪ−Ｊ線の断面を示す断面図である。
【図１２】本発明の第１０の実施の形態に係る表示記録媒体を示し、（ａ）は連結前の平面図、（ｂ）は（ａ）の正面図である。
【図１３】図１２の表示記録部の連結後の状態を示し、（ａ）は連結後の平面図、（ｂ）は（ａ）の正面図である。
【図１４】図１２のＩ−Ｉ線の断面図である。
【図１５】本発明の第１１の実施の形態に係る表示記録媒体を示す平面図である。
【符号の説明】
【０１００】
１  表示記録媒体
１ａ  表面
１ｂ  裏面
２，３，４  嵌合部
５Ａ，５Ｂ，７，７Ａ，７Ｂ  結合部材
６  重なり部
８，９  結合部
８Ａ，８Ｂ  メス型面ファスナー
８Ｃ  オス型面ファスナー
９Ａ，９Ｂ  連結片
９Ｃ  接着剤
１０  第１の表示記録部
１１，２１  書込表示領域
１２Ａ，１２Ｂ，２２Ａ，２２Ｂ  受電部
１３Ａ，１３Ｂ  基板
１４Ａ，１４Ｂ  透明電極
１５  液晶層
１６  隔離層
１７  光導電層
１７ａ，１７ｃ  電荷発生層
１７ｂ  電荷輸送層
１８  光吸収層
１９  延在部
２０  第２の表示記録部
４２Ａ，４２Ｂ，６２Ａ，６２Ｂ，６４  係合部
４３Ａ，４３Ｂ  スリット
２９Ａ，２９Ｂ  開口
３０  書込パターン光
４０，６０  中間ジョイント
４１，６１  本体部
５１Ａ，５１Ｂ  凹部
５２Ａ，５２Ｂ  凸部
５３Ａ〜５３Ｄ  突起
５４Ａ〜５４Ｄ  凹部
６３Ａ，６３Ｂ，８３Ａ，８３Ｂ，８６Ａ，８６Ｂ  スリット
７０ａ〜７０ｄ  開口
７１  蛇行突起
７２  蛇行溝
８１Ａ，８１Ｂ，８２，８４Ａ，８４Ｂ，８５  係合部
８８Ａ，８８Ｂ  連結片
１００  画像書込装置
１１０  下部筐体
１１１  光出射面
１１２  書込部
１１３  ＬＣＤ（液晶ディスプレィ）パネル
１１４  バックライト
１３０  上部筐体
１３１  媒体押付け部
１３２Ａ，１３２Ｂ  電磁ソレノイド
１３３  押圧板
１３４  開口
１５１  挿入口
１５２  空間
１５３  排出口
２０１  柱状部
２０２  把持部
２０３  外包部
２０４，２０５  嵌合片
５０１  支柱部
５０２  球体
５０３Ａ，５０３Ｂ  開口
５０４  支持部材
５０５  接着剤
７０１  支柱
７０２，７０３  球体
【図１】
2005266355.tif 000003
【図２】
2005266355.tif 000004
【図３】
2005266355.tif 000005
【図４】
2005266355.tif 000006
【図５】
2005266355.tif 000007
【図６】
2005266355.tif 000008
【図７】
2005266355.tif 000009
【図８】
2005266355.tif 000010
【図９】
2005266355.tif 000011
【図１０】
2005266355.tif 000012
【図１１】
2005266355.tif 000013
【図１２】
2005266355.tif 000014
【図１３】
2005266355.tif 000015
【図１４】
2005266355.tif 000016
【図１５】
2005266355.tif 000017